(57)【要約】【課題】集光レンズ表面への接着剤の盛り上がりを防止することのできる光ピックアップ装置の構造を提供する。【解決手段】光ピックアップ装置は、光源からの光を照射対象に集光する集光レンズ１６と、集光レンズを支持するレンズホルダ１５とを含む。集光レンズ１６の半径方向外周部には複数の切欠け部１６Ａが形成され、切欠け部１６Ａは集光レンズ１６の外周部とレンズホルダ１５との接触面側において開放されている。さらに、切欠け部１６Ａにおける周方向に沿って対向する２つのカット面は、集光レンズの外周側から見て対称なクサビ型形状となっている。集光レンズ１６とレンズホルダ１５とは、切欠け部１６Ａに充填される接着剤２０によって接着される。【選択図】  図１
2011086358.tif 000002
【特許請求の範囲】
【請求項１】
光源からの光を照射対象に集光する集光レンズと、集光レンズを支持するレンズホルダとを含む光ピックアップ装置であって、
上記集光レンズの半径方向外周部には複数の切欠け部が形成され、
上記切欠け部は、上記集光レンズの外周部と上記レンズホルダとの接触面側において開放されており、
上記切欠け部による空隙を上記集光レンズの外周側から見た場合、上記切欠け部は上記集光レンズの周方向に沿って対向する２つのカット面を有しており、それぞれのカット面は対称なクサビ型形状となっていることを特徴とする光ピックアップ装置。
【請求項２】
上記複数の切欠け部は、集光レンズの周方向に等間隔をあけて配置されることを特徴とする請求項１に記載の光ピックアップ装置。
【請求項３】
上記複数の切欠け部は、集光レンズにおけるレンズ機能を有するレンズ部の周囲に形成された、レンズ機能を有さない両面平坦面の半径方向外周部に形成されていることを特徴とする請求項１または２に記載の光ピックアップ装置。
【請求項４】
請求項１から３のいずれかに記載の光ピックアップ装置を搭載することを特徴とする電子機器。
【発明の詳細な説明】
【技術分野】
【０００１】
本発明は、光ピックアップ装置に関するものであり、特に光ピックアップにおける光学部品の対物レンズ構造に関する。
【背景技術】
【０００２】
広く用いられている記録媒体の種類の一つとして、光記録媒体が挙げられる。そして、光記録媒体への情報の読み出し、書き込みおよび消去を行うためには光ピックアップ装置が用いられる。光ピックアップ装置は、レーザ光源からの光を集光するための集光レンズを有しており、集光レンズはレンズホルダによって保持される構成となっている。
【０００３】
図３（ａ），（ｂ）は、従来の光ピックアップ装置における集光レンズとレンズホルダとの接続を示す平面図および断面図である。集光レンズ１０１は、レンズ部１０１Ａと半径方向外周部１０１Ｂとを有しており、接着剤１０３によって半径方向外周部１０１Ｂの複数箇所をレンズホルダ１０２に接着している。
【０００４】
また、特許文献１には、集光レンズとレンズホルダとの接着強度を向上させるために、図４に示すように集光レンズに凹部を設け、集光レンズと接着剤との接触面積を大きくした構成が開示されている。
【先行技術文献】
【特許文献】
【０００５】
【特許文献１】特開２００４−３４２２１５号公報（２００４年１２月２日公開）
【発明の概要】
【発明が解決しようとする課題】
【０００６】
しかしながら、上述のような従来技術は、集光レンズとレンズホルダにこのまま接着剤を塗布すると物理的要因によってレンズ表面に接着剤が盛り上がる。そして、接着剤が集光レンズの表面に盛り上がることにより接着剤の表面に異物が付着し、その異物が光学系有効光路を塞いでしまい、必要とされる光ピックアップの性能が低下するという問題がある。
【０００７】
また、特許文献１の構成では、集光レンズに凹部を設けることで接着剤の盛り上がり量が多少なりとも減少する可能性はある。しかしながら、特許文献１においても接着剤の盛り上がりに対する積極的改善思想を持つものではないため、接着剤の盛り上がり自体を解消できるものではなく、上記課題の解決方法とはなりえない。
【０００８】
本発明は、上記課題に鑑みてなされたものであり、集光レンズ表面への接着剤の盛り上がりを防止することのできる光ピックアップ装置の構造を提供することを目的としている。
【課題を解決するための手段】
【０００９】
上記の課題を解決するために、本発明は、光源からの光を照射対象に集光する集光レンズと、集光レンズを支持するレンズホルダとを含む光ピックアップ装置であって、上記集光レンズの半径方向外周部には複数の切欠け部が形成され、上記切欠け部は、上記集光レンズの半径方向外周部と上記レンズホルダとの接触面側において開放されており、上記切欠け部による空隙を上記集光レンズの外周側から見た場合、上記切欠け部は上記集光レンズの周方向に沿って対向する２つのカット面を有しており、それぞれのカット面は対称なクサビ型形状となっていることを特徴としている。
【００１０】
上記の構成によれば、集光レンズに切欠け部を設け、切欠け部に充填した接着剤によって集光レンズをレンズホルダに接着する構造により、集光レンズの表面へ接着剤が盛り上がることを防止できる。これは、集光レンズとレンズホルダとの間に接着剤が抱え込まれるようにして接着がなされるためである。
【００１１】
特に、切欠け部における周方向に沿って対向する２つのカット面を、集光レンズの外周側から見て対称なクサビ型形状とすることにより、集光レンズと接着剤との接着剤塗布領域が広くなると共に、切欠け部の幅の狭くなる箇所が接着剤とレンズホルダとに挟みこまれる形状となるため、接着強度を増すことができる。
【００１２】
さらに、上記クサビ型形状の切欠け部では、レンズホルダとの接着面との反対側において庇構造が形成されるため、その庇構造部を接着剤のレンズ表面への盛り上がりを防止する規制部材として機能させることができる。
【００１３】
また、上記光ピックアップ装置では、上記複数の切欠け部は、集光レンズの周方向に等間隔をあけて配置される構成とすることが好ましい。
【００１４】
上記の構成によれば、接着剤の収縮等によって生じる半径方向の応力を集光レンズの全集に渡って均等に分布させることができ、集光レンズの形状が歪むことを防止できる。
【００１５】
また、上記光ピックアップ装置では、上記複数の切欠け部は、集光レンズにおけるレンズ機能を有するレンズ部の周囲に形成された、レンズ機能を有さない両面平坦面の半径方向外周部のみに形成されている構成とすることが好ましい。
【発明の効果】
【００１６】
本発明の光ピックアップ装置は、光源からの光を照射対象に集光する集光レンズと、集光レンズを支持するレンズホルダとを含む光ピックアップ装置であって、上記集光レンズの半径方向外周部には複数の切欠け部が形成され、上記切欠け部は、上記集光レンズの半径方向外周部と上記レンズホルダとの接触面側において開放されており、上記切欠け部による空隙を上記集光レンズの外周側から見た場合、上記切欠け部は上記集光レンズの周方向に沿って対向する２つのカット面を有しており、それぞれのカット面は対称なクサビ型形状となっている構成である。
【００１７】
それゆえ、集光レンズとレンズホルダとの間に接着剤が抱え込まれるようにして接着がなされるため、集光レンズの表面へ接着剤が盛り上がることを防止できるといった効果を奏する。さらに、切欠け部における周方向に沿って対向する２つのカット面を、集光レンズの外周側から見て対称なクサビ型形状とすることにより、接着強度を増すことができる。
【図面の簡単な説明】
【００１８】
【図１】本発明の一実施形態を示すものであり、（ａ）はレンズホルダおよび集光レンズの平面図、（ｂ）は（ａ）のＡ−Ａ断面図、（ｃ）は（ｂ）のＢ−Ｂ断面図である。
【図２】本実施の形態に係る光ピックアップ装置を模式的に示す断面図である。
【図３】従来の光ピックアップ装置を示す図であり、（ａ）はレンズホルダおよび集光レンズの平面図、（ｂ）はその断面図である。
【図４】従来の光ピックアップ装置を示す断面図である。
【発明を実施するための形態】
【００１９】
以下、本発明の実施の形態について、図面を参照して詳細に説明する。
【００２０】
図２は、本実施の形態に係る光ピックアップ装置１０を模式的に示す断面図である。光ピックアップ装置１０は、コンパクトディスク（Compact Disc；略称：ＣＤ）およびデジタル多機能ディスク（Digital Versatile Disc；略称：ＤＶＤ）などの光記録媒体に対して、情報の読出し、書込みおよび消去を行う電子機器である光記録媒体記録再生装置に搭載される。光ピックアップ装置１０は、受発光部１１、ダイクロイックプリズム１２、コリメートレンズ１３、立上ミラー１４、レンズホルダ１５、集光レンズ１６および駆動機構１７を含んで構成される。
【００２１】
受発光部１１は、ＣＤおよびＤＶＤに対する情報の記録および読出しをするための２種類の波長のレーザ光を出射する発光素子と、入射した光を光電変換する受光素子とを備える。ダイクロイックプリズム１２は、受発光部１１からの光をコリメートレンズ１３に導くとともに、コリメートレンズ１３からの光を受発光部１１に導く。コリメートレンズ１３は、ダイクロイックプリズム１２によって導かれた受発光部１１からの光を平行光に変換する。立上ミラー１４は、コリメートレンズ１３からの光を反射して、集光レンズ１６に導く。レンズホルダ１５は、駆動機構１７に連結され、集光レンズ１６を支持する。集光レンズ１６は、立上ミラー１４からの光を、照射対象である光記録媒体１８に集光する。駆動機構１７は、集光レンズ１６を支持するレンズホルダ１５を変位駆動する。
【００２２】
受発光部１１から出射された光は、ダイクロイックプリズム１２によってコリメートレンズ１３に導かれる。ダイクロイックプリズム１２からコリメートレンズ１３に入射した光は、平行光に変換されて、立上ミラー１４に導かれる。コリメートレンズ１３から立上ミラー１４に入射した光は、集光レンズ１６に向けて反射される。立上ミラー１４から集光レンズ１６に入射した光は、集光レンズ１６によって光記録媒体１８の情報記録面に集光されて照射される。
【００２３】
光記録媒体１８の情報記録面で反射した光は、集光レンズ１６に入射する。光記録媒体１８から集光レンズ１６に入射した光は、平行光に変換されて、立上ミラー１４に導かれる。集光レンズ１６から立上ミラー１４に入射した光は、コリメートレンズ１３に向けて反射される。立上ミラー１４からコリメートレンズ１３に入射した光は、ダイクロイックプリズム１２を介して、受発光部１１に入射する。受発光部１１に光が入射すると、光電変換されて電気信号が生成される。この電気信号は、情報の読出し、記録および消去ならびにサーボ信号として利用される。
【００２４】
本実施の形態に係る光ピックアップ装置におけるレンズホルダ１５および集光レンズ１６の接続構造について図１（ａ）〜（ｃ）を参照して詳細に説明する。ここで、図１（ａ）はレンズホルダ１５および集光レンズ１６の平面図、図１（ｂ）は図１（ａ）のＡ−Ａ断面図、図１（ｃ）は図１（ｂ）のＢ−Ｂ断面図である。
【００２５】
集光レンズ１６は、レンズ機能を有するレンズ部の半径方向外周部に、レンズ機能を有さない両面平坦面の外周部が形成されてなる。そして、集光レンズ１６の半径方向外周部には、複数箇所の切欠け部１６Ａが設けられている。切欠け部１６Ａの数は、本実施の形態では３箇所であるが、この数は特に限定されない。また、複数の切欠け部１６Ａは集光レンズ１６の周方向に等間隔をあけて配置されることが好ましい。これにより、接着剤の収縮等によって生じる半径方向の応力を集光レンズの全集に渡って均等に分布させることができ、集光レンズの形状が歪むことを防止できる。
【００２６】
集光レンズ１６をレンズホルダ１５に接着するに当たっては、切欠け部１６Ａの空隙に接着剤２０を充填する。充填された接着剤２０は、切欠け部１６Ａの内壁とレンズホルダ１５における集光レンズ１６との対向面とを接着面とし、集光レンズ１６をレンズホルダ１５に固着させる。
【００２７】
集光レンズ１６における切欠け部１６Ａは、詳細に述べると、集光レンズ１６の中心側から外周側に臨んで開放されている（図１（ａ）参照）。また、切欠け部１６Ａは、集光レンズ１６の半径方向外周部とレンズホルダ１５との接触面側において開放されている。そして、切欠け部１６Ａに充填される接着剤２０は、集光レンズ１６の半径方向外周部とレンズホルダ１５との接触面における開放箇所においてレンズホルダ１５と接触する。
【００２８】
さらに、切欠け部１６Ａによる空隙を集光レンズの外周側から見た場合、円周方向に沿って対向する２つのカット面を有しているが、それぞれのカット面は対称なクサビ型形状（Ｖ字型形状）となっている。すなわち、その空隙における最も広い箇所（Ｖ字の先端）の空隙幅は、集光レンズ１６とレンズホルダ１５との接触面における開放部幅よりも広くなっている（図１（ｃ）においてＤ２＞Ｄ１）。この構成では、集光レンズと接着剤との接着剤塗布領域が広くなると共に、切欠け部の幅の狭くなる箇所が接着剤２０とレンズホルダ１５とに挟みこまれる形状となるため、接着強度を増すことができる。
【００２９】
また、切欠け部１６Ａによる空隙を集光レンズの外周側から見た場合、その空隙における最も広い空隙幅を有する箇所から、レンズホルダ１５との接触面の反対側の面にかけてはその空隙幅が狭くなっている。これは、切欠け部１６Ａのレンズホルダ１５との接触面の反対側、すなわち接着剤の盛り上がりを防止しようとする側において庇構造を形成し、その庇構造部を接着剤２０のレンズ表面への盛り上がりを防止する規制部材として機能させるためである。
【００３０】
本実施の形態の光ピックアップ装置では、集光レンズ１６に切欠け部１６Ａを設け、切欠け部１６Ａに充填した接着剤２０によって集光レンズ１６をレンズホルダ１５に接着する構造により、集光レンズの表面へ接着剤２０が盛り上がることを防止できる。これは、図１（ｃ）に示されるように、集光レンズ１６とレンズホルダ１５との間に接着剤２０が抱え込まれるようにして接着がなされるためである。
【００３１】
また、集光レンズ１６における切欠け部１６Ａでは、接着剤２０とレンズホルダ１５との接触面を得るために、レンズホルダ１５との接触面側において開放されているが、さらにレンズホルダ１５との接触面の反対側においても開放されていてもよい。レンズホルダ１５との接触面の反対側が開放されている場合、切欠け部１６Ａへの接着剤２０の充填が容易になる。但し、レンズホルダ１５との接触面の反対側を開放する場合であっても、集光レンズの表面への接着剤２０の盛り上がりを防止するためには、その開放幅はレンズホルダ１５との接触面側の開放幅よりも小さくすることが好ましい（図１（ｃ）においてＤ１＞Ｄ３）。
【００３２】
本発明は上述した実施形態に限定されるものではなく、請求項に示した範囲で種々の変更が可能である。
【符号の説明】
【００３３】
１０    光ピックアップ装置
１５    レンズホルダ
１６    集光レンズ
１６Ａ  切欠け部
２０    接着剤
【図１】
2011086358.tif 000003
【図２】
2011086358.tif 000004
【図３】
2011086358.tif 000005
【図４】
2011086358.tif 000006